(57)【要約】【課題】視聴者のニーズにより適合した情報を提供するための二次元コードを提供する。【解決手段】表示装置（５０）から配信要求するコンテンツ情報を取得し、当該コンテンツ情報に関するコンテンツに関連するアクセス情報を含む二次元コードを生成し、上記二次元コードを表示装置に出力する表示装置用サイトサーバ制御部（２４）を備える表示装置用サイトサーバ（２０）。【選択図】図１
2017092780.tif 000002
【特許請求の範囲】
【請求項１】
制御部と、通信部と、を備えるサーバであって、
上記制御部は、
表示装置から配信要求するコンテンツに関するコンテンツ情報を、上記通信部を介して取得し、
上記コンテンツ情報に関するコンテンツに関連するアクセス情報を含む二次元コードを生成し、
上記通信部を介して上記二次元コードを上記表示装置に出力する、
ことを特徴とするサーバ。
【請求項２】
上記制御部は、第１の接続先へのアクセス情報を短縮したアクセス情報を生成し、
上記二次元コードには、上記第１の接続先への短縮されたアクセス情報が含まれる、
ことを特徴とする請求項１に記載のサーバ。
【請求項３】
上記制御部は、上記第１の接続先へのアクセス情報を他のサーバに出力し、当該他のサーバから、上記第１の接続先への短縮されたアクセス情報を取得することにより、上記第１の接続先へのアクセス情報を短縮したアクセス情報を生成する、
ことを特徴とする請求項２に記載のサーバ。
【請求項４】
上記第１の接続先へのアクセス情報は、アクセスされたことへの応答として第２の接続先へのアクセス情報を返す提携サーバの所在を含む、
ことを特徴とする請求項２または３に記載のサーバ。
【請求項５】
上記制御部は、上記二次元コードと上記コンテンツを表示するための領域であるコンテンツ表示領域とを含むフレーム画像を上記表示装置に表示させるための表示情報を、上記表示装置に出力する、
ことを特徴とする請求項１〜４の何れか１項に記載のサーバ。
【請求項６】
上記フレーム画像において、上記コンテンツ表示領域には上記二次元コードが重畳していない、
ことを特徴とする請求項５に記載のサーバ。
【請求項７】
上記制御部が生成する上記二次元コードに含まれるアクセス情報は、上記コンテンツの提供者にも関連している
ことを特徴とする請求項１〜６の何れか１項に記載のサーバ。
【請求項８】
第１のサーバ、第２のサーバ、および表示装置を備えるシステムであって、
上記第１のサーバは、第１の制御部と、第１の通信部と、を備え、
上記第１の制御部は、
上記表示装置から配信要求するコンテンツに関するコンテンツ情報を、上記第１の通信部を介して取得し、
上記コンテンツ情報に関するコンテンツに関連するアクセス情報を含む二次元コードを生成し、
上記第２のサーバに対して、上記第１の通信部を介して、上記コンテンツを上記表示装置に出力するよう要求し、
上記第１の通信部を介して上記二次元コードを上記表示装置に出力し、
上記第２のサーバは、第２の制御部と、第２の通信部と、を備え、
上記第２の制御部は、
上記第２の通信部を介して受け付けた上記第１のサーバからの要求に応じて、上記コンテンツを上記第２の通信部を介して上記表示装置に出力し、
上記表示装置は、表示装置制御部と、表示装置通信部と、表示部と、を備え、
上記表示装置制御部は、
上記表示装置通信部を介して、上記コンテンツ情報を上記第１のサーバに出力し、
上記表示装置通信部を介して、上記第１のサーバから上記二次元コードを取得し、
上記表示装置通信部を介して、上記第２のサーバから上記コンテンツを取得し、
上記二次元コードおよび上記コンテンツを上記表示部に表示する、
ことを特徴とするシステム。
【請求項９】
表示装置から配信要求するコンテンツに関するコンテンツ情報を取得する取得ステップと、
上記コンテンツ情報に関するコンテンツに関連するアクセス情報を含む二次元コードを生成する生成ステップと、
上記二次元コードを上記表示装置に出力する出力ステップと、
を含むことを特徴とする方法。
【請求項１０】
制御部と、通信部と、を備えるサーバとしてコンピュータを機能させるためのプログラムであって、上記制御部に、
表示装置から配信要求するコンテンツに関するコンテンツ情報を、上記通信部を介して取得させる処理、
上記コンテンツ情報に関するコンテンツに関連するアクセス情報を含む二次元コードを生成させる処理、
上記通信部を介して上記二次元コードを上記表示装置に出力させる処理、
を実行させることを特徴とするプログラム。
【請求項１１】
制御部と、通信部と、表示部と、を備える表示装置であって、
上記制御部は、
上記通信部を介して、配信要求するコンテンツに関するコンテンツ情報をサーバに出力し、
上記通信部を介して、上記サーバから、上記コンテンツ情報に関するコンテンツに関連するアクセス情報を含む二次元コードを取得し、
上記通信部を介して、他のサーバから上記コンテンツを取得し、
上記二次元コードおよび上記コンテンツを上記表示部に表示する、
ことを特徴とする表示装置。
【発明の詳細な説明】
【技術分野】
【０００１】
本発明は、二次元コードを出力するサーバ、当該サーバと他のサーバと表示装置とを備えるシステム、二次元コードを出力する方法、当該サーバとして機能させるためのプログラム、および二次元コードを表示する表示装置に関する。
【背景技術】
【０００２】
表示装置に二次元コードを表示する技術が開示されている。
【０００３】
例えば、引用文献１には、放送中のテレビ番組に関連するクーポンの要求をサーバに送信し、クーポン配布条件に合致する店舗のサービス情報を映像化した二次元バーコードを取得して表示するテレビが記載されている。
【０００４】
また、引用文献２には、テレビＣＭと、テレビＣＭを出稿する広告主によって運営される広告主サーバとの対応付けを管理する放送局サーバのアドレスと、テレビＣＭを識別するテレビＣＭ識別情報とを含んで構成される二次元バーコードをテレビに表示させる放送局が記載されている。
【０００５】
また、引用文献３には、放送番組で表示される複数の商品に対応する二次元バーコードを表示するテレビが記載されている。
【０００６】
また、引用文献４には、放送コンテンツの映像イメージを抽出し、当該映像イメージに対応する二次元バーコードを表示するテレビが記載されている。
【先行技術文献】
【特許文献】
【０００７】
【特許文献１】特開２０１３−１５２５１７号公報（２０１３年８月８日公開）
【特許文献２】特開２０１１−１０１３０７号公報（２０１１年５月１９日公開）
【特許文献３】特開２００７−３０６３９９号公報（２００７年１１月２２日公開）
【特許文献４】特開２０１０−７４３８５号公報（２０１０年４月２日公開）
【発明の概要】
【発明が解決しようとする課題】
【０００８】
しかしながら、上述の従来技術では、表示装置に表示されているテレビ番組およびテレビＣＭといったコンテンツに関連した情報を含む二次元コードしか、表示装置は表示することができない。
【０００９】
本発明は、上記の問題点に鑑みてなされたものであり、その目的は、視聴者のニーズにより適合した情報を提供するための二次元コードを提供する技術を提供することにある。
【課題を解決するための手段】
【００１０】
上記の課題を解決するために、本発明の一態様に係るサーバは、制御部と、通信部と、を備えるサーバであって、上記制御部は、表示装置から配信要求するコンテンツに関するコンテンツ情報を、上記通信部を介して取得し、上記コンテンツ情報に関するコンテンツに関連するアクセス情報を含む二次元コードを生成し、上記通信部を介して上記二次元コードを上記表示装置に出力する。
【００１１】
また、上記の課題を解決するために、本発明の一態様に係るシステムは、第１のサーバ、第２のサーバ、および表示装置を備えるシステムであって、上記第１のサーバは、第１の制御部と、第１の通信部と、を備え、上記第１の制御部は、上記表示装置から配信要求するコンテンツに関するコンテンツ情報を、上記第１の通信部を介して取得し、上記コンテンツ情報に関するコンテンツに関連するアクセス情報を含む二次元コードを生成し、上記第２のサーバに対して、上記第１の通信部を介して、上記コンテンツを上記表示装置に出力するよう要求し、上記第１の通信部を介して上記二次元コードを上記表示装置に出力し、上記第２のサーバは、第２の制御部と、第２の通信部と、を備え、上記第２の制御部は、上記第２の通信部を介して受け付けた上記第１のサーバからの要求に応じて、上記コンテンツを上記第２の通信部を介して上記表示装置に出力し、上記表示装置は、表示装置制御部と、表示装置通信部と、表示部と、を備え、上記表示装置制御部は、上記表示装置通信部を介して、上記コンテンツ情報を上記第１のサーバに出力し、上記表示装置通信部を介して、上記第１のサーバから上記二次元コードを取得し、上記表示装置通信部を介して、上記第２のサーバから上記コンテンツを取得し、上記二次元コードおよび上記コンテンツを上記表示部に表示する。
【００１２】
また、上記の課題を解決するために、本発明の一態様に係る方法は、表示装置から配信要求するコンテンツに関するコンテンツ情報を取得する取得ステップと、上記コンテンツ情報に関するコンテンツに関連するアクセス情報を含む二次元コードを生成する生成ステップと、上記二次元コードを上記表示装置に出力する出力ステップと、を含む。
【００１３】
また、上記の課題を解決するために、本発明の一態様に係るプログラムは、制御部と、通信部と、を備えるサーバとしてコンピュータを機能させるためのプログラムであって、上記制御部に、表示装置から配信要求するコンテンツに関するコンテンツ情報を、上記通信部を介して取得させる処理、上記コンテンツ情報に関するコンテンツに関連するアクセス情報を含む二次元コードを生成させる処理、上記通信部を介して上記二次元コードを上記表示装置に出力させる処理、を実行させる。
【００１４】
また、上記の課題を解決するために、本発明の一態様に係る表示装置は、制御部と、通信部と、表示部と、を備える表示装置であって、上記制御部は、上記通信部を介して、配信要求するコンテンツに関するコンテンツ情報をサーバに出力し、上記通信部を介して、上記サーバから、上記コンテンツ情報に関するコンテンツに関連するアクセス情報を含む二次元コードを取得し、上記通信部を介して、他のサーバから上記コンテンツを取得し、上記二次元コードおよび上記コンテンツを上記表示部に表示する。
【発明の効果】
【００１５】
本発明の一態様によれば、視聴者のニーズにより適合した情報を提供するための二次元コードを提供することができる。
【図面の簡単な説明】
【００１６】
【図１】本発明の実施形態１における情報配信システムの主要な構成を示すブロック図である。
【図２】本発明の実施形態１における表示装置用サイトサーバの構成を示すブロック図である。
【図３】本発明の実施形態１における情報配信システムにおいて、表示装置用サイトサーバが二次元バーコードを生成する処理の流れを示すフローチャートである。
【図４】本発明の実施形態１における情報配信システムにおいて、表示装置が表示装置用サイト画像を表示する処理の流れを示すフローチャートである。
【図５】本発明の実施形態１における情報配信システムにおいて、携帯端末が携帯端末用サイト画像を表示する処理の流れを示すフローチャートである。
【図６】本発明の実施形態１における表示装置および携帯端末に表示される画像の例である。
【図７】本発明の実施形態２における情報配信システムの主要な構成を示すブロック図である。
【図８】本発明の実施形態２におけるアフィリエイトサーバにアクセスするためのアクセス情報の例である。
【図９】本発明の実施形態２における情報配信システムにおいて、表示装置用サイトサーバが二次元バーコードを生成する処理の流れを示すフローチャートである。
【図１０】本発明の実施形態２における情報配信システムにおいて、携帯端末が携帯端末用サイト画像を表示する処理の流れを示すフローチャートである。
【図１１】各サーバ、表示装置、および携帯端末として利用可能なコンピュータのハードウェア構成を例示したブロック図である。
【図１２】本発明の実施形態１におけるテーブルの一例である。
【発明を実施するための形態】
【００１７】
〔実施形態１〕
以下、本発明の実施の形態について、詳細に説明する。
【００１８】
（情報配信システム１）
図１は、本発明の実施形態１における情報配信システム（システム）１の主要な構成を示すブロック図である。図１に示すように、情報配信システム１は、動画コンテンツ配信サーバ（第２のサーバ、他のサーバ）１０、表示装置用サイトサーバ（サーバ、第１のサーバ）２０、縮小アクセス情報サーバ（他のサーバ）３０、携帯端末用サイトサーバ４０、表示装置５０、および携帯端末６０によって構成されている。
【００１９】
情報配信システム１では、表示装置５０は、ネットワーク２を介して表示装置用サイトサーバ２０に対してアクセスし、コンテンツの配信を要求する。ここで、本発明における「コンテンツ」とは、ネットワーク２を経由して表示装置５０に配信されるコンテンツである。また、「コンテンツ」は、表示装置５０に配信されてから再生が開始されるコンテンツであってもよいし、再生中のコンテンツであって、表示装置５０からの配信要求があると、当該配信要求があった時点から表示装置５０において再生されるコンテンツであってもよい。
【００２０】
また、表示装置５０は、表示装置５０から配信要求するコンテンツに関連するアクセス情報を含む二次元バーコードを表示装置用サイトサーバ２０から取得し、表示する。コンテンツに関連するアクセス情報の例として、コンテンツに関連する接続先へのアクセス情報が挙げられ、より具体的には、商品を紹介するコンテンツと、当該商品を購入可能なショッピングサイトを接続先としたアクセス情報が挙げられる。また、二次元バーコードは、接続先を直接示す情報に替えて、接続先を直接示す情報を返すサーバの接続先を示す情報を含む構成であってもよく、この構成の詳細については後述する。
【００２１】
また、二次元バーコードに含まれるアクセス情報は、コンテンツの提供者に関連していてもよい。「コンテンツの提供者に関連したアクセス情報」とは、表示する動画コンテンツと関連が深い情報が含まれている携帯端末用サイトサーバ４０へのアクセス情報であってもよい。動画コンテンツの提供者に関連付けられた接続先の例として、動画コンテンツの提供者のホームページ、動画コンテンツ提供者の商品を購入可能なショッピングサイトなどが挙げられる。
【００２２】
そして、携帯端末６０は、当該二次元バーコードを読み取ることにより、表示装置５０が表示する動画コンテンツに関連する接続先へアクセスすることができる。そのため、携帯端末６０は、例えば、表示装置５０が表示する動画コンテンツの商品を購入可能なショッピングサイトなどを表示することができる。
【００２３】
なお、本明細書では、表示装置５０は、動画コンテンツ配信サーバ１０が出力する動画コンテンツを表示する構成を用いているが、本発明はこれに限定されない。例えば、動画コンテンツ配信サーバ１０が、動画コンテンツの一部の画像を出力し、表示装置５０が当該画像を表示する構成であってもよい。
【００２４】
また、本明細書では、表示装置用サイトサーバ２０が二次元バーコードを生成する構成について記載しているが、本発明は二次元バーコードに限定されず、二次元コードであればよい。
【００２５】
情報配信システム１を構成する各装置について、詳しく説明する。
【００２６】
（動画コンテンツ配信サーバ１０）
動画コンテンツ配信サーバ１０は、要求に応じて動画コンテンツを出力するサーバである。なお、動画コンテンツ配信サーバ１０は、動画コンテンツを出力する処理に替えて、当該動画コンテンツの格納先を示す格納先情報を出力し、当該格納先に格納された動画コンテンツを再生（ストリーミング）させる構成であってもよい。動画コンテンツ配信サーバ１０は、図１に示すように、動画コンテンツ配信サーバ通信部（第２の通信部）１２、動画コンテンツ配信サーバ制御部（第２の制御部）１４、および動画コンテンツ配信サーバ記憶部１６を含んでいる。
【００２７】
動画コンテンツ配信サーバ通信部１２は、外部の装置と通信するための通信インターフェースである。
【００２８】
動画コンテンツ配信サーバ記憶部１６には、動画コンテンツおよび動画コンテンツに関連付けられたメタ情報が格納されている。メタ情報の詳細については、後述する。
【００２９】
動画コンテンツ配信サーバ制御部１４は、動画コンテンツ配信サーバ１０の各構成を統括的に制御する機能を備えている演算装置である。動画コンテンツ配信サーバ制御部１４の具体的な処理については、参照する図面を替えて後述する。
【００３０】
（表示装置用サイトサーバ２０）
表示装置用サイトサーバ２０は、表示装置５０に表示装置用サイト画像を表示するための情報である表示装置用サイト情報（表示情報）を出力するサーバである。表示装置用サイト情報の具体的な例として、フレーム画像、マークアップ言語によって記載された文書などが挙げられる。表示装置用サイトサーバ２０は、図１に示すように、表示装置用サイトサーバ通信部（通信部、第１の通信部）２２、表示装置用サイトサーバ制御部（制御部、第１の制御部）２４、および表示装置用サイトサーバ記憶部２６を含んでいる。
【００３１】
表示装置用サイトサーバ通信部２２は、外部の装置と通信するための通信インターフェースである。
【００３２】
表示装置用サイトサーバ記憶部２６には、メタ情報、アクセス情報、および二次元バーコードが格納されている。
【００３３】
表示装置用サイトサーバ制御部２４は、表示装置用サイトサーバ２０の各構成を統括的に制御する機能を備えている演算装置である。より詳細な表示装置用サイトサーバ制御部２４の構成について、図２を用いて説明する。図２は、本発明の実施形態１における表示装置用サイトサーバ２０の構成を示すブロック図である。表示装置用サイトサーバ制御部２４は、図２に示すように、情報管理部２４２、二次元バーコード生成部２４４、出力要求受付部２４６、表示装置用サイト情報生成部２４８、および表示装置用サイト情報出力部２５０としても機能する。
【００３４】
情報管理部２４２は、取得した情報（メタ情報、アクセス情報、および二次元バーコード）を関連付けて表示装置用サイトサーバ記憶部２６に格納する。
【００３５】
二次元バーコード生成部２４４は、取得したアクセス情報を含む二次元バーコードを生成する。
【００３６】
出力要求受付部２４６は、表示装置５０からの要求であって、動画コンテンツの出力の要求を受け付ける。
【００３７】
表示装置用サイト情報生成部２４８は、メタ情報および二次元バーコードを取得し、当該メタ情報および二次元バーコードを含む表示装置用サイト情報を生成する。
【００３８】
表示装置用サイト情報出力部２５０は、表示装置用サイト情報を出力する。
【００３９】
表示装置用サイトサーバ制御部２４の具体的な処理については、参照する図面を替えて後述する。
【００４０】
（縮小アクセス情報サーバ３０）
縮小アクセス情報サーバ３０は、アクセス情報（第１の接続先へのアクセス情報）を取得し、短縮されたアクセス情報（第１の接続先への短縮されたアクセス情報）を出力するサーバである。縮小アクセス情報サーバ３０は、図１に示すように、縮小アクセス情報サーバ通信部３２、縮小アクセス情報サーバ制御部３４、および縮小アクセス情報サーバ記憶部３６を含んでいる。
【００４１】
縮小アクセス情報サーバ通信部３２は、外部の装置と通信するための通信インターフェースである。
【００４２】
縮小アクセス情報サーバ記憶部３６には、アクセス情報および縮小アクセス情報が格納されている。
【００４３】
縮小アクセス情報サーバ制御部３４は、縮小アクセス情報サーバ３０の各構成を統括的に制御する機能を備えている演算装置である。縮小アクセス情報サーバ制御部３４の具体的な処理については、参照する図面を替えて後述する。
【００４４】
（携帯端末用サイトサーバ４０）
携帯端末用サイトサーバ４０は、図１に示すように、携帯端末用サイトサーバ通信部４２、携帯端末用サイトサーバ制御部４４、および携帯端末用サイトサーバ記憶部４６を含んでいる。
【００４５】
携帯端末用サイトサーバ通信部４２は、外部の装置と通信するための通信インターフェースである。
【００４６】
携帯端末用サイトサーバ記憶部４６には、携帯端末６０に携帯端末用サイト画像を表示するための情報である携帯端末用サイト情報が格納されている。
【００４７】
携帯端末用サイトサーバ制御部４４は、携帯端末用サイトサーバ４０の各構成を統括的に制御する機能を備えている演算装置である。携帯端末用サイトサーバ制御部４４の具体的な処理については、参照する図面を替えて後述する。
【００４８】
（表示装置５０）
表示装置５０は、図１に示すように、表示装置通信部（通信部）５２、表示装置制御部（制御部）５４、操作受付部５６、および表示装置表示部（表示部）５８を含んでいる。
【００４９】
表示装置通信部５２は、外部の装置と通信するための通信インターフェースである。
【００５０】
操作受付部５６は、ユーザからの操作を受け付け、受け付けた操作を示す操作信号を出力する入力装置である。操作受付部５６が受け付けるユーザの操作の例として、動画コンテンツを表示する旨を示す操作、再生中の動画コンテンツの再生速度を変更する旨を示す操作、および表示している動画コンテンツの大きさを変更する旨を示す操作などが挙げられる。
【００５１】
表示装置表示部５８は、入力された画像信号が示す画像を表示する表示デバイス（出力装置）である。
【００５２】
表示装置制御部５４は、表示装置５０の各構成を統括的に制御する機能を備えている演算装置である。表示装置制御部５４は、図１に示すように、操作信号取得部５４２、出力要求部５４４、表示制御部５４６、および表示情報取得部５４８としても機能する。
【００５３】
操作信号取得部５４２は、操作受付部５６から出力された操作信号を取得する。
【００５４】
出力要求部５４４は、動画コンテンツの出力を、表示装置用サイトサーバ２０に対して要求する。
【００５５】
表示制御部５４６は、表示装置表示部５８に表示させる画像を示す画像信号を出力する。
【００５６】
表示情報取得部５４８は、表示装置表示部５８に表示させる画像や、表示装置用サイト情報を取得する。
【００５７】
表示装置制御部５４の具体的な処理については、参照する図面を替えて後述する。
【００５８】
（携帯端末６０）
携帯端末６０は、図１に示すように、携帯端末通信部６２、携帯端末制御部６４、二次元バーコード読取部６６、および携帯端末表示部６８を含んでいる。
【００５９】
携帯端末通信部６２は、外部の装置と通信するための通信インターフェースである。
【００６０】
二次元バーコード読取部６６は、二次元バーコードを読み取り、二次元バーコードに含まれるアクセス情報を出力する。
【００６１】
携帯端末表示部６８は、入力された画像信号が示す画像を表示する表示デバイス（出力装置）である。
【００６２】
携帯端末制御部６４は、携帯端末６０の各構成を統括的に制御する機能を備えている演算装置である。携帯端末制御部６４の具体的な処理については、参照する図面を替えて後述する。
【００６３】
（メタ情報）
メタ情報とは、動画コンテンツに関連付けられた情報であり、具体的には、（１）動画コンテンツそのものに関する情報（複数の動画コンテンツの各々を特定するための動画コンテンツ情報）、（２）アクセス情報、および（３）動画コンテンツの配信に関する情報、などが挙げられる。
【００６４】
動画コンテンツそのものに関する情報の例として、動画コンテンツのタイトル、動画コンテンツに含まれる画像を抽出したサムネイル画像、動画コンテンツのカテゴリー、動画コンテンツの説明文、動画コンテンツを再生するための許諾に関する情報、などが挙げられる。
【００６５】
動画コンテンツの配信に関する情報の例として、動画コンテンツの出力開始日時、動画コンテンツの出力終了日時、出力先情報（再生可能な表示装置の機種、出力するエリア、視聴者の年齢など）、などが挙げられる。
【００６６】
なお、出力先情報については、表示装置５０の出力先情報を予め動画コンテンツ配信サーバ記憶部１６および表示装置用サイトサーバ記憶部２６の少なくとも何れかに当該出力先情報と表示装置５０とを関連付けて格納することにより、有効に利用することが可能になる。例えば、表示装置５０から動画コンテンツの出力の要求を受け付けるとともに、当該表示装置５０を特定する識別情報を取得すると、当該識別情報に関連付けられた出力先情報を参照することにより、例えば、表示装置５０はコンテンツを再生できない機種である場合は、表示装置５０はコンテンツを再生できない機種である旨を示す画像などを、表示装置５０に出力することができる。なお、出力先情報と表示装置５０とを関連付けて格納するサーバは、他のサーバであってもよい。
【００６７】
（二次元バーコードを生成する処理）
表示装置用サイトサーバ２０が二次元バーコードを生成する処理について、図３を用いて説明する。図３は、本発明の実施形態１における情報配信システム１において、表示装置用サイトサーバ２０が二次元バーコードを生成する処理の流れを示すフローチャートである。なお、以下の説明において、各サーバが情報（携帯端末用サイト情報、動画コンテンツなど）を取得する方法は、特に記載がない場合は限定されず、各サーバが備える入力装置（不図示）を介して取得する構成であってもよいし、各サーバが備える通信インターフェースを介して取得する構成であってもよい。
【００６８】
（ステップＳ２）
携帯端末用サイトサーバ４０の携帯端末用サイトサーバ制御部４４は、携帯端末用サイト情報を取得し、携帯端末用サイトサーバ記憶部４６に格納する。上述したように、携帯端末用サイトサーバ記憶部４６に格納される携帯端末用サイト情報を携帯端末６０が表示するためにアクセスする接続先は、後述するステップＳ４において動画コンテンツ配信サーバ記憶部１６に格納される動画コンテンツに関連している。
【００６９】
（ステップＳ４）
動画コンテンツ配信サーバ１０の動画コンテンツ配信サーバ制御部１４は、動画コンテンツおよびメタ情報を取得し、当該動画コンテンツおよびメタ情報を関連付けて動画コンテンツ配信サーバ記憶部１６に格納する。
【００７０】
（ステップＳ６）
表示装置用サイトサーバ２０の情報管理部２４２は、ステップＳ２において格納された携帯端末用サイト情報を取得するためのアクセス情報を取得する。そして、情報管理部２４２は、取得したアクセス情報を表示装置用サイトサーバ記憶部２６に格納する。
【００７１】
なお、ステップＳ４およびステップＳ６の処理が実行される順番は特に限定されない。
【００７２】
（ステップＳ８）
動画コンテンツ配信サーバ１０の動画コンテンツ配信サーバ制御部１４は、ステップＳ４において格納したメタ情報を、動画コンテンツ配信サーバ通信部１２を介して表示装置用サイトサーバ２０に出力する。
【００７３】
（ステップＳ１０）
表示装置用サイトサーバ２０の情報管理部２４２は、表示装置用サイトサーバ通信部２２を介して、動画コンテンツ配信サーバ１０から出力されたメタ情報を取得する。そして、情報管理部２４２は、取得したメタ情報とステップＳ６において取得したアクセス情報とを関連付けて、表示装置用サイトサーバ記憶部２６に格納する。
【００７４】
ここで、情報管理部２４２がメタ情報とアクセス情報とを関連付ける例について、図１２を用いて説明する。図１２は、本発明の実施形態１におけるテーブルの例であり、（ａ）は、テーブルの一例であり、（ｂ）は、テーブルの他の例である。
【００７５】
情報管理部２４２は、図１２に示すように、メタ情報（動画コンテンツ）とアクセス情報とを関連付けて、表示装置用サイトサーバ記憶部２６に格納する。図１２の（ａ）に示すように、動画コンテンツ毎に関連付けるアクセス情報が異なる場合（Ａ社の場合）もあれば、複数の動画コンテンツに対して同じアクセス情報が関連付けられる場合（Ｂ社の場合）もある。また、情報管理部２４２は、図１２の（ａ）のテーブルを更新し、図１２の（ｂ）のテーブルを作成可能な構成が好ましい。この場合、メタ情報に関連付けられたアクセス情報を適宜変更することができる。また、図１２に示すように、情報管理部２４２はメタ情報とアクセス情報と動画コンテンツの提供者とを関連付けて表示装置用サイトサーバ記憶部２６に格納してもよい。
【００７６】
（ステップＳ１２）
情報管理部２４２は、表示装置用サイトサーバ記憶部２６に格納したアクセス情報を、表示装置用サイトサーバ通信部２２を介して縮小アクセス情報サーバ３０に出力する。
【００７７】
（ステップＳ１４）
縮小アクセス情報サーバ３０の縮小アクセス情報サーバ制御部３４は、表示装置用サイトサーバ２０から出力されたアクセス情報を、縮小アクセス情報サーバ通信部３２を介して取得する。
【００７８】
（ステップＳ１６）
縮小アクセス情報サーバ制御部３４は、取得したアクセス情報を縮小した縮小アクセス情報を生成する。そして、縮小アクセス情報サーバ制御部３４は、ステップＳ１４において取得したアクセス情報と生成した縮小アクセス情報とを関連付けて、縮小アクセス情報サーバ記憶部３６に格納する。
【００７９】
（ステップＳ１８）
縮小アクセス情報サーバ制御部３４は、生成した縮小アクセス情報を、縮小アクセス情報サーバ通信部３２を介して表示装置用サイトサーバ２０に出力する。
【００８０】
（ステップＳ２０）
表示装置用サイトサーバ２０の情報管理部２４２は、表示装置用サイトサーバ通信部２２を介して、縮小アクセス情報サーバ３０から出力された縮小アクセス情報を取得する。そして、情報管理部２４２は、取得した縮小アクセス情報を二次元バーコード生成部２４４に出力する。
【００８１】
（ステップＳ２２：生成ステップ）
二次元バーコード生成部２４４は、取得した縮小アクセス情報を含む二次元バーコードを生成する。そして、二次元バーコード生成部２４４は、生成した二次元バーコードを情報管理部２４２に出力する。情報管理部２４２は、取得した二次元バーコードと、ステップＳ１２において出力したアクセス情報とを関連付けて表示装置用サイトサーバ記憶部２６に格納する。
【００８２】
なお、ステップＳ６において表示装置用サイトサーバ２０が取得するアクセス情報は複数であってもよい。この場合、表示装置用サイトサーバ２０は、複数のアクセス情報のそれぞれに対応する二次元バーコードを生成する。例えば、表示装置用サイトサーバ２０は、コンテンツに関連するアクセス情報に加えて、コンテンツの提供者に関連するアクセス情報を取得し、当該アクセス情報を含む二次元バーコードをさらに生成する構成であってもよい。動画コンテンツに関連する接続先の例として、当該動画コンテンツにおいて商品が紹介されている場合、当該商品を購入可能なサイトへのアクセス情報などが挙げられる。
【００８３】
また、ステップＳ４において動画コンテンツ配信サーバ１０が取得するメタ情報にアクセス情報が含まれている場合、表示装置用サイトサーバ２０はステップＳ６を省略する構成であってもよい。このように、メタ情報にアクセス情報が含まれる場合、表示装置用サイトサーバ２０の処理を簡素化することができる。一方、メタ情報にアクセス情報が含まれない場合、表示装置用サイトサーバ２０は動画コンテンツ配信サーバ１０を経由せずにアクセス情報を取得できるので、アクセス情報を更新することが容易になる。
【００８４】
また、ステップＳ１２において情報管理部２４２がアクセス情報を縮小アクセス情報サーバ３０に出力し、ステップＳ２０において縮小アクセス情報サーバ３０から出力された縮小アクセス情報を取得する処理は、換言すると、情報管理部がアクセス情報（第１の接続先へのアクセス情報）を縮小アクセス情報サーバ３０（他のサーバ）に出力し、縮小アクセス情報サーバ３０から短縮されたアクセス情報を取得することにより、短縮されたアクセス情報を生成しているとも言える。
【００８５】
（表示装置用サイト画像を表示する処理）
表示装置５０が表示装置用サイト画像を表示する処理について、図４を用いて説明する。図４は、本発明の実施形態１における情報配信システム１において、表示装置５０が表示装置用サイト画像を表示する処理の流れを示すフローチャートである。
【００８６】
（ステップＳ３２）
表示装置５０の操作信号取得部５４２は、操作受付部５６を介して、動画コンテンツを表示する旨の操作信号を取得する。操作信号取得部５４２は、取得した操作信号を出力要求部５４４に出力する。
【００８７】
（ステップＳ３４）
出力要求部５４４は、取得した操作信号を参照し、表示装置通信部５２を介して表示装置用サイトサーバ２０に対して、表示する動画コンテンツの出力を要求する。換言すると、出力要求部５４４は、表示する動画コンテンツに関する動画コンテンツ情報を出力する。
【００８８】
（ステップＳ３６：取得ステップ）
表示装置用サイトサーバ２０の出力要求受付部２４６は、表示装置用サイトサーバ通信部２２を介して、表示装置５０からの要求を受け付ける。換言すると、出力要求受付部２４６は、出力された動画コンテンツ情報を取得する。そして、出力要求受付部２４６は、要求された動画コンテンツ（取得した動画コンテンツ情報に関する動画コンテンツ）に関連付けられたメタ情報および二次元バーコードを表示装置用サイト情報生成部２４８に出力するよう、情報管理部２４２に要求する。情報管理部２４２は、当該要求に応じて、動画コンテンツに関連付けられたメタ情報および二次元バーコードを表示装置用サイトサーバ記憶部２６から取得し、当該メタ情報および二次元バーコードを表示装置用サイト情報生成部２４８に出力する。なお、出力要求受付部２４６が動画コンテンツ情報を取得するタイミングは、ステップＳ３６に限定されず、後述する図６において動画コンテンツを選択決定されたタイミングで、選択決定された動画コンテンツに関する動画コンテンツ情報を取得する構成であってもよい。
【００８９】
（ステップＳ３８）
表示装置用サイト情報生成部２４８は、メタ情報および二次元バーコードを取得すると、当該メタ情報および二次元バーコードを含む表示装置用サイト情報を生成する。そして、表示装置用サイト情報生成部２４８は、生成した表示装置用サイト情報を表示装置用サイト情報出力部２５０に出力する。
【００９０】
（ステップＳ４０）
出力要求部５４４は、ステップＳ３６において受け付けた要求に応じた動画コンテンツの出力を、表示装置用サイトサーバ通信部２２を介して動画コンテンツ配信サーバ１０に要求する。
【００９１】
（ステップＳ４２）
動画コンテンツ配信サーバ１０の動画コンテンツ配信サーバ制御部１４は、動画コンテンツ配信サーバ通信部１２を介して、表示装置用サイトサーバ２０からの要求を受け付ける。そして、動画コンテンツ配信サーバ制御部１４は、出力を要求された動画コンテンツを動画コンテンツ配信サーバ記憶部１６から取得する。
【００９２】
（ステップＳ４４：出力ステップ）
表示装置用サイト情報出力部２５０は、ステップＳ３８において表示装置用サイト情報生成部２４８が出力した表示装置用サイト情報を取得する。そして、表示装置用サイト情報出力部２５０は、当該表示装置用サイト情報を、表示装置用サイトサーバ通信部２２を介して表示装置５０に出力する。
【００９３】
（ステップＳ４６）
表示装置５０の表示情報取得部５４８は、表示装置通信部５２を介して、表示装置用サイト情報を取得する。そして、表示情報取得部５４８は、取得した表示装置用サイト情報を表示制御部５４６に出力する。
【００９４】
（ステップＳ４８）
動画コンテンツ配信サーバ制御部１４は、ステップＳ４２において取得した動画コンテンツを、動画コンテンツ配信サーバ通信部１２を介して、表示装置５０に出力する。
【００９５】
（ステップＳ５０）
表示装置５０の表示情報取得部５４８は、表示装置通信部５２を介して、動画コンテンツを取得する。そして、表示情報取得部５４８は、取得した動画コンテンツを表示制御部５４６に出力する。
【００９６】
（ステップＳ５２）
表示制御部５４６は、取得した表示装置用サイト情報を参照し、二次元バーコードおよび取得した動画コンテンツを含む表示装置用サイト画像を表示装置表示部５８に表示させる。
【００９７】
なお、ステップＳ５２において、表示制御部５４６は、二次元バーコードおよび動画コンテンツの少なくとも何れかを含むサイト画像を表示させる構成であってもよい。例えば、表示制御部５４６は、動画コンテンツを含み、二次元バーコードを含まない表示装置用サイト画像を表示し、動画コンテンツの再生中または動画コンテンツの再生が終わった後、二次元バーコードを表示する構成であってもよい。また、表示制御部５４６は、二次元バーコードを含み、動画コンテンツを含まない表示装置用サイト画像を一旦表示してから、動画コンテンツを表示する構成であってもよい。
【００９８】
また、表示制御部５４６は、ステップＳ５２における動画コンテンツの表示に関して、動画コンテンツを再生してもよいし、動画コンテンツに含まれる画像を抽出した静止画像を表示してもよい。表示制御部５４６が動画コンテンツを再生する場合、操作信号取得部５４２がステップＳ３２において動画コンテンツを表示する旨の操作信号を取得した後、動画コンテンツを再生する旨の操作信号を取得することなく、表示制御部５４６は動画コンテンツを再生する。一方、表示制御部５４６は、動画コンテンツに含まれる画像を抽出した静止画像を表示した場合、静止画像を表示してから所定の時間経過後、または、操作信号取得部５４２が動画コンテンツを再生する旨の操作信号を取得してから表示制御部５４６は動画コンテンツを再生する。
【００９９】
また、ステップＳ３２において、操作信号取得部５４２は、動画コンテンツを表示する旨の操作信号を取得する構成に替えて、表示装置用サイト画像を表示する旨の操作信号を取得する構成であってもよい。この場合、出力要求部５４４は、ステップＳ３４において、表示装置用サイトサーバ２０に対して、表示装置用サイト情報の出力を要求する。表示装置用サイトサーバ２０は、当該要求を受け付けると、ステップＳ４０において、動画コンテンツ配信サーバ１０に対して所定の動画コンテンツの出力を要求する。
【０１００】
所定の動画コンテンツは、当該表示装置用サイトサーバを管理する管理者が決めた動画コンテンツであってもよいし、表示装置５０が前回表示した動画コンテンツであってもよい。所定の動画コンテンツを、表示装置５０が前回表示した動画コンテンツとする構成の場合、表示装置５０を特定するための識別情報を表示装置用サイトサーバ２０が取得し、当該識別情報と、表示装置５０から要求された動画コンテンツとを関連付けて表示装置用サイトサーバ記憶部２６に格納することにより、実現できる。
【０１０１】
（携帯端末用サイト画像を表示する処理）
携帯端末６０が携帯端末用サイト画像を表示する処理について、図５を用いて説明する。図５は、本発明の実施形態１における情報配信システム１において、携帯端末６０が携帯端末用サイト画像を表示する処理の流れを示すフローチャートである。
【０１０２】
（ステップＳ６２）
ユーザは、表示装置５０に表示されている二次元バーコードの読み取り操作を行う。すなわち、携帯端末制御部６４は、二次元バーコード読取部６６を介して、縮小アクセス情報を取得する。
【０１０３】
（ステップＳ６４）
携帯端末制御部６４は、取得した縮小アクセス情報を、携帯端末通信部６２を介して縮小アクセス情報サーバ３０に出力する。
【０１０４】
（ステップＳ６６）
縮小アクセス情報サーバ３０の縮小アクセス情報サーバ制御部３４は、縮小アクセス情報サーバ通信部３２を介して、携帯端末６０から出力された縮小アクセス情報を取得する。
【０１０５】
（ステップＳ６８）
縮小アクセス情報サーバ制御部３４は、取得した縮小アクセス情報に関連付けられているアクセス情報を、縮小アクセス情報サーバ記憶部３６から取得する。そして、縮小アクセス情報サーバ制御部３４は、取得したアクセス情報を、縮小アクセス情報サーバ通信部３２を介して携帯端末６０に出力する。
【０１０６】
（ステップＳ７０）
携帯端末６０の携帯端末制御部６４は、携帯端末通信部６２を介して、縮小アクセス情報サーバ３０から出力されたアクセス情報を取得する。
【０１０７】
（ステップＳ７２）
携帯端末制御部６４は、携帯端末通信部６２を介して、取得したアクセス情報が示す接続先にアクセスするため、携帯端末用サイトサーバ４０に対してアクセス要求する。
【０１０８】
（ステップＳ７４）
携帯端末用サイトサーバ４０の携帯端末用サイトサーバ制御部４４は、携帯端末用サイトサーバ通信部４２を介して、アクセス要求を受け付ける。
【０１０９】
（ステップＳ７６）
携帯端末用サイトサーバ制御部４４は、当該アクセス要求を受け付けると、携帯端末用サイト情報を携帯端末用サイトサーバ記憶部４６から取得する。そして、携帯端末用サイトサーバ制御部４４は、携帯端末用サイトサーバ通信部４２を介して、取得した携帯端末用サイト情報を携帯端末６０に出力する。
【０１１０】
（ステップＳ７８）
携帯端末６０の携帯端末制御部６４は、携帯端末通信部６２を介して、携帯端末用サイトサーバ４０から出力された携帯端末用サイト情報を取得する。
【０１１１】
（ステップＳ８０）
携帯端末制御部６４は、取得した携帯端末用サイト情報を参照し、携帯端末表示部６８に携帯端末用サイト画像を表示する。
【０１１２】
（表示される画像の例）
表示装置５０および携帯端末６０に表示される画像の例について、図６を用いて説明する。図６は、本発明の実施形態１における表示装置５０および携帯端末６０に表示される画像の例であり、（ａ）は、表示装置５０に表示されるサイト画像の例であり、（ｂ）は、携帯端末６０が二次元バーコードを読み取るときに表示される画像の例であり、（ｃ）は、携帯端末６０に表示されるサイト画像の例である。
【０１１３】
（表示装置５０に表示されるサイト画像の例）
図６の（ａ）に示すように、表示装置５０に表示されるサイト画像には、提供者リスト５８０、コンテンツリスト５８２、コンテンツ情報表示領域５８４、二次元バーコード５８６、動画コンテンツ表示領域（コンテンツ表示領域）５８８、およびカーソル５９０が含まれる。表示装置５０では、操作受付部５６が受け付けた操作に応じてカーソルの位置が変更する構成が好ましく、例えば、リモコンの上下左右キーが押されたことを示す操作を操作受付部５６が受け付けた場合に、カーソルの位置を変更する構成が挙げられる。また、表示装置５０は、例えば、リモコンの「決定」キーが押されたことを示す操作を操作受付部５６が受け付けた場合に、カーソルの位置に応じた処理を実行する構成が挙げられる。
【０１１４】
提供者リスト５８０は、動画コンテンツを提供する複数の提供者の各々を特定する各提供者情報をリスト化したものである。図６の（ａ）では、提供者リスト５８０には、各提供者をそれぞれ選択決定するための提供者ボタン５８０ａ〜提供者ボタン５８０ｆが含まれている。
【０１１５】
コンテンツリスト５８２は、動画コンテンツを提供する複数の動画コンテンツの各々を特定する各動画コンテンツ情報をリスト化したものである。図６の（ａ）では、コンテンツリスト５８２には、４つの動画コンテンツをそれぞれ選択決定するための動画コンテンツボタン５８２ａ〜動画コンテンツボタン５８２ｄが含まれている。また、動画コンテンツボタン５８２ａ〜動画コンテンツボタン５８２ｄのそれぞれには、図６の（ａ）に示すように、当該動画コンテンツのメタ情報の一部（例えば、サムネイル画像５８４ａ〜５８４ｄなど）が含まれていてもよい。
【０１１６】
また、コンテンツリスト５８２は、提供者リスト５８０において選択決定された提供者に対応したコンテンツリストが表示される。具体的には、ユーザがカーソル５９０を提供者リスト５８０へ移動させ、提供者ボタン５８０ａにカーソル５９０を合わせて「決定」キーを押した場合、提供者ボタン５８０ａに関連付けられた提供者が提供するコンテンツリストが表示される。この場合、表示装置５０は、当該コンテンツリストに含まれる動画コンテンツの再生を開始する構成であってもよいし、再生中の動画コンテンツを停止することなく、再生し続ける構成であってもよい。なお、提供者およびコンテンツリストは、表示装置用サイトサーバ２０において関連付けられることにより、表示装置５０が、提供者リスト５８０において選択決定された提供者を示す提供者情報を表示装置用サイトサーバ２０に出力することにより、提供者リスト５８０において選択決定された提供者に対応したコンテンツリストが表示される構成が実現できる。
【０１１７】
コンテンツ情報表示領域５８４は、後述する動画コンテンツ表示領域５８８に表示されている動画コンテンツに関する情報が表示される。また、二次元バーコード５８６は、コンテンツ情報表示領域５８４内に表示されている。
【０１１８】
動画コンテンツ表示領域５８８には、動画コンテンツが表示される。動画コンテンツ表示領域５８８に表示される動画コンテンツは、コンテンツリスト５８２において選択決定された動画コンテンツ情報に対応した動画コンテンツである。具体的には、ユーザがカーソル５９０を、図６の（ａ）に示すように動画コンテンツボタン５８２ｂに合わせて「決定」キーを押した場合、動画コンテンツボタン５８２ｂに関連付けられた動画コンテンツが、動画コンテンツ表示領域５８８に表示される。また、上述したように、表示装置５０からの要求によって表示された図６の（ａ）に示す画像を表示するとき、および図６の（ａ）においてユーザが「決定」キーを押したときに、表示装置５０は選択決定された動画コンテンツに関する動画コンテンツ情報を出力する。また、動画コンテンツ表示領域５８８に表示される動画コンテンツが終了した場合、表示装置５０は、当該動画コンテンツに対応する動画コンテンツボタンの下に表示されている動画コンテンツボタンが選択決定された場合に表示される動画コンテンツを、自動的に表示する構成であってもよい。
【０１１９】
例えば、図６の（ａ）に示す状態において、動画コンテンツ表示領域５８８に、動画コンテンツボタン５８２ｂを選択決定した場合に表示される動画コンテンツが表示され、当該動画コンテンツが終了した場合、表示装置５０は、動画コンテンツボタン５８２ｃを選択決定した場合に表示される動画コンテンツを表示する。この場合、カーソル５９０は、動画コンテンツボタン５８２ｂの位置から変更しない構成であってもよいし、動画コンテンツボタン５８２ｃの位置に変更する構成であってもよい。また、表示装置５０は、動画コンテンツが終了した場合、当該動画コンテンツのメタ情報の一部（例えば、当該動画コンテンツの説明文など）を表示する構成であってもよい。
【０１２０】
また、図６の（ａ）に示すように、動画コンテンツ表示領域５８８には二次元バーコード５８６が重畳していない構成が好ましい。より具体的には、上述したステップＳ４４において、表示装置用サイト情報出力部２５０は、表示装置用サイト情報に、二次元バーコードと動画コンテンツ表示領域とを含むフレーム画像を含める。そして、表示装置用サイト情報出力部２５０は、動画コンテンツ表示領域には二次元バーコードが表示されないフレーム画像を、表示装置用サイト情報に含める。この構成により、表示装置用サイトサーバ２０は、動画コンテンツ表示領域に二次元バーコードが重畳しないサイト画像を、表示装置５０に表示することができる。そのため、表示装置用サイトサーバ２０は、動画コンテンツ表示領域に表示されるコンテンツが二次元バーコードによって見えなくなることを防ぐことができる。
【０１２１】
（携帯端末６０が二次元バーコードを読み取るときに表示される画像の例）
図６の（ｂ）に示すように、携帯端末６０は、二次元バーコード読取部６６が読み取る二次元バーコード５８６の画像を、携帯端末表示部６８に表示してもよい。例えば、図６の（ｂ）に示す画像を携帯端末６０が表示し、ユーザから二次元バーコード５８６を読み取る旨の操作を受け付けた場合に、二次元バーコード５８６を読み取る構成であってもよい。
【０１２２】
（携帯端末６０に表示されるサイト画像の例）
図６の（ｃ）に示すように、携帯端末６０は、携帯端末用サイト情報を参照したサイト画像を表示する。携帯端末６０が表示するサイト情報は、表示装置５０に表示されている動画コンテンツに関連するサイト情報であるため、ユーザに多様な情報を提供することができる。
【０１２３】
このように、本実施形態における情報配信システム１では、表示装置用サイトサーバ２０は、表示装置用サイトサーバ制御部２４と、表示装置用サイトサーバ通信部２２と、を備え、表示装置用サイトサーバ制御部２４は、表示装置５０から配信要求する動画コンテンツに関する動画コンテンツ情報（コンテンツ情報）を、表示装置用サイトサーバ通信部２２を介して取得する。そして、表示装置用サイトサーバ２０は、表示装置５０が表示する動画コンテンツに関連するアクセス情報を含む二次元バーコードを生成し、表示装置用サイトサーバ通信部２２を介して当該二次元バーコードを表示装置５０に出力する。そのため、表示装置用サイトサーバ２０は、表示装置５０から配信要求されたコンテンツに関連するアクセス情報を含む二次元バーコードを提供できるため、視聴者のニーズにより適合した情報を提供するための二次元コードを提供することができる。
【０１２４】
また、表示装置用サイトサーバ制御部２４は、二次元バーコードと動画コンテンツを表示するための領域であるコンテンツ表示領域とを含むフレーム画像を表示装置５０に表示させるための表示装置用サイト情報（表示情報）を、表示装置５０に出力する。そのため、表示装置用サイトサーバ２０は、表示装置５０に二次元バーコードおよび動画コンテンツを表示させることができる。
【０１２５】
また、表示装置用サイトサーバ制御部２４は、コンテンツ表示領域には二次元バーコードが重畳していないフレーム画像を表示装置に表示させる。そのため、表示装置用サイトサーバ２０は、表示装置５０が動画コンテンツに二次元バーコードが重畳して表示することによって、動画コンテンツの一部が表示できなくなることを防ぐことができる。
【０１２６】
また、表示装置用サイトサーバ制御部２４は、アクセス情報（第１の接続先へのアクセス情報）を短縮した縮小アクセス情報を生成する。そして、表示装置用サイトサーバ制御部２４が生成する二次元バーコードには、短縮されたアクセス情報（第１の接続先への短縮されたアクセス情報）が含まれる。そのため、表示装置用サイトサーバ２０は、アクセス情報を含めて生成した二次元バーコードに比べて、小さい表示サイズの二次元バーコードを生成することができるので、表示装置５０の画素数が少ない場合であっても、二次元バーコードを適切に表示させることができる。また、上述したように、表示装置用サイトサーバ２０は、コンテンツ表示領域には二次元バーコードが重畳していないフレーム画像を表示装置に表示させた場合であっても、二次元バーコードの表示サイズが小さいため、適切に動画コンテンツおよび二次元バーコードを表示装置５０に表示させることができる。
【０１２７】
また、表示装置用サイトサーバ制御部２４は、アクセス情報（第１の接続先へのアクセス情報）を縮小アクセス情報サーバ３０（他のサーバ）に出力し、縮小アクセス情報サーバ３０から、短縮されたアクセス情報（第１の接続先への短縮されたアクセス情報）を取得することにより、短縮したアクセス情報を生成してもよい。そのため、表示装置用サイトサーバ２０は、アクセス情報および短縮したアクセス情報を管理することなく、小さい表示サイズの二次元バーコードを生成することができる。
【０１２８】
また、表示装置用サイトサーバ制御部２４が生成する二次元バーコードに含まれるアクセス情報は、コンテンツの提供者に関連していてもよい。そのため、表示装置用サイトサーバ２０は、より多様な情報を提供する二次元バーコードを提供することができる。
【０１２９】
〔実施形態２〕
本発明の他の実施形態について、図７〜図１０に基づいて説明すれば、以下のとおりである。なお、説明の便宜上、上記実施形態にて説明した部材と同じ機能を有する部材については、同じ符号を付記し、その説明を省略する。
【０１３０】
（情報配信システム１ａ）
図７は、本発明の実施形態２における情報配信システム（システム）１ａの主要な構成を示すブロック図である。図７に示すように、情報配信システム１ａは、上述した実施形態における情報配信システム１に対して、アフィリエイトサーバ（提携サーバ）７０を追加した構成になっている。本実施形態では、携帯端末６０がサイト画像を表示するときに、アフィリエイトサーバ７０を経由してから携帯端末用サイトサーバ４０にアクセスする構成について、説明する。
【０１３１】
（アフィリエイトサーバ７０）
アフィリエイトサーバ７０は、アクセスされたことへの応答として、アクセス情報（第２の接続先へのアクセス情報）を返すサーバである。また、アフィリエイトサーバ７０は、表示装置用サイト情報を表示装置５０に提供する表示装置用サイト情報提供者に関する情報、および携帯端末用サイト情報を携帯端末用サイトサーバ４０に提供する携帯端末用サイト情報提供者に関する情報を取得する構成であってもよい。アフィリエイトサーバ７０にアクセスするためのアクセス情報（第１の接続先へのアクセス情報）の例を、図８に示す。
【０１３２】
図８は、本発明の実施形態２におけるアフィリエイトサーバ７０にアクセスするためのアクセス情報の例である。図８に示すように、アフィリエイトサーバ７０にアクセスするためのアクセス情報は、記述Ａ〜記述Ｄを含んでいる。
【０１３３】
記述Ａは、アフィリエイトサーバ７０の所在を示す記述である。
【０１３４】
記述Ｂは、表示装置用サイト情報を表示装置５０に提供する表示装置用サイト情報提供者に関する情報を示す記述である。
【０１３５】
記述Ｃは、携帯端末用サイト情報を携帯端末用サイトサーバ４０に提供する携帯端末用サイト情報提供者に関する情報を示す記述である。
【０１３６】
記述Ｄは、アフィリエイトに関するその他の情報を示す記述である。アフィリエイトに関する情報の例として、（１）当該アフィリエイトサーバ７０へのアクセスは、直接当該アクセス情報のテキストを用いたアクセスであるか、ウェブページ上の広告画像からのアクセスであるか、などを示すアクセス方法を示す情報、（２）当該アフィリエイトサーバ７０と表示装置用サイト情報提供者との契約に関する取り決め情報、などが挙げられる。
【０１３７】
（二次元バーコードを生成する処理）
表示装置用サイトサーバ２０が二次元バーコードを生成する処理について図９を用いて説明する。図９は、本発明の実施形態２における情報配信システム１ａにおいて、表示装置用サイトサーバ２０が二次元バーコードを生成する処理の流れを示すフローチャートである。
【０１３８】
（ステップＳ３）
アフィリエイトサーバ７０のアフィリエイトサーバ制御部７４は、再接続先へのアクセス情報として、携帯端末用サイト情報を取得するためのアクセス情報を取得し、アフィリエイトサーバ７０のアフィリエイトサーバ記憶部７６に格納する。
【０１３９】
続いて、携帯端末用サイトサーバ４０が携帯端末用サイト情報を取得し、動画コンテンツ配信サーバ１０が動画コンテンツおよびメタ情報を取得するステップＳ２およびステップＳ４は、上述した実施形態１における処理と同じ処理であるため、説明を省略する。なお、上述したステップＳ３は、ステップＳ２の後、またはステップＳ２と同時に処理される構成であってもよい。
【０１４０】
（ステップＳ６）
表示装置用サイトサーバ２０の情報管理部２４２は、ステップＳ２において格納された携帯端末用サイト情報を取得するためのアクセス情報を返すアフィリエイトサーバ７０へのアクセス情報を取得する。そして、情報管理部２４２は、取得したアクセス情報を表示装置用サイトサーバ記憶部２６に格納する。
【０１４１】
続いて、動画コンテンツ配信サーバ１０がメタ情報を出力するステップＳ８以降の処理について、上述した実施形態１における情報配信システム１における処理と同じであるため、説明は省略する。
【０１４２】
また、表示装置用サイト画像を表示する処理についても、上述した実施形態１における情報配信システム１における処理と同じであるため、説明は省略する。
【０１４３】
（携帯端末用サイト画像を表示する処理）
携帯端末６０が携帯端末用サイト画像を表示する処理について、図１０を用いて説明する。図１０は、本発明の実施形態２における情報配信システム１ａにおいて、携帯端末６０が携帯端末用サイト画像を表示する処理の流れを示すフローチャートである。
【０１４４】
上述した実施形態１における情報配信システム１と同様、情報配信システム１ａにおいても、携帯端末６０が縮小アクセス情報を取得し、アクセス情報を取得するまでの処理であるステップＳ６２〜Ｓ７０は同じ処理であるため、説明を省略する。
【０１４５】
（ステップＳ１０２）
携帯端末制御部６４は、携帯端末通信部６２を介して、取得したアクセス情報が示す接続先にアクセスするため、アフィリエイトサーバ７０に対してアクセス要求する。
【０１４６】
（ステップＳ１０４）
アフィリエイトサーバ７０のアフィリエイトサーバ制御部７４は、アフィリエイトサーバ通信部７２を介して、アクセス要求を受け付ける。
【０１４７】
（ステップＳ１０６）
アフィリエイトサーバ制御部７４は、当該アクセス要求を受け付けると、再接続先へのアクセス情報をアフィリエイトサーバ記憶部７６から取得する。そして、アフィリエイトサーバ制御部７４は、取得した再接続先へのアクセス情報を、アフィリエイトサーバ通信部７２を介して携帯端末６０に出力する。
【０１４８】
（ステップＳ１０８）
携帯端末６０の携帯端末制御部６４は、携帯端末通信部６２を介して、アフィリエイトサーバ７０から再接続先へのアクセス情報を取得する。
【０１４９】
そして、携帯端末６０が取得したアクセス情報が示す接続先にアクセスする処理であるステップＳ７２以降の処理は、上述した実施形態１における処理と同じ処理であるため、説明は省略する。
【０１５０】
このように、本実施形態における情報配信システム１ａでは、携帯端末６０が取得したアクセス情報（第１の接続先へのアクセス情報）は、アクセスされたことへの応答として再接続先へのアクセス情報（第２の接続先へのアクセス情報）を返すアフィリエイトサーバ７０の所在を含んでいる。そのため、アフィリエイトサーバ７０において様々な情報を取得する構成を実現することができる。
【０１５１】
なお、様々な情報の例として、（１）表示装置用サイト情報提供者が提供する表示装置用サイト情報を取得したユーザからのアクセス数をカウントする処理を示す情報、（２）アフィリエイトサーバ７０が返したアクセス情報が示す接続先にアクセスしたユーザが行った処理（例えば、アフィリエイトサーバ７０が返したアクセス情報が示す接続先がショッピングサイトであり、当該ショッピングサイトにてユーザが買物をした金額など）を示す情報、などが挙げられる。
【０１５２】
〔ソフトウェアによる実現例〕
各サーバ（動画コンテンツ配信サーバ１０、表示装置用サイトサーバ２０、縮小アクセス情報サーバ３０、携帯端末用サイトサーバ４０、およびアフィリエイトサーバ７０）、表示装置５０、および携帯端末６０の制御ブロック（特に動画コンテンツ配信サーバ制御部１４、表示装置用サイトサーバ制御部２４、縮小アクセス情報サーバ制御部３４、携帯端末用サイトサーバ制御部４４、アフィリエイトサーバ制御部７４、表示装置制御部５４、および携帯端末制御部６４）は、集積回路（ＩＣチップ）等に形成された論理回路（ハードウェア）によって実現してもよいし、ＣＰＵ（Central Processing Unit）を用いてソフトウェアによって実現してもよい。
【０１５３】
後者の場合、各サーバ、表示装置５０、および携帯端末６０は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１５４】
〔実施形態３〕
上記各実施形態では、複数のサーバ（動画コンテンツ配信サーバ１０、表示装置用サイトサーバ２０、縮小アクセス情報サーバ３０、携帯端末用サイトサーバ４０、およびアフィリエイトサーバ７０）を用いる例を示したが、複数のサーバの有する各機能が、１つのサーバにて実現されていてもよいし、各実施形態におけるサーバの数より少ない数のサーバ、または多くのサーバを用いて実現されてもよい。そして、複数のサーバを適用する場合においては、各サーバは、同じ事業者によって管理されていてもよいし、異なる事業者によって管理されていてもよい。
【０１５５】
〔実施形態４〕
各サーバ（動画コンテンツ配信サーバ１０、表示装置用サイトサーバ２０、縮小アクセス情報サーバ３０、携帯端末用サイトサーバ４０、およびアフィリエイトサーバ７０）、表示装置５０、および携帯端末６０の各ブロックは、集積回路（ＩＣチップ）等に形成された論理回路（ハードウェア）によって実現してもよいし、ＣＰＵ（Central Processing Unit）を用いてソフトウェアによって実現してもよい。後者の場合、各サーバ、表示装置５０、および携帯端末６０のそれぞれを、図１１に示すようなコンピュータ（電子計算機）を用いて構成することができる。
【０１５６】
図１１は、各サーバ、表示装置５０、および携帯端末６０として利用可能なコンピュータ９１０のハードウェア構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばＣＰＵ、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１５７】
補助記憶装置９１４には、コンピュータ９１０を各サーバ、表示装置５０、および携帯端末６０として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、各サーバ、表示装置５０、および携帯端末６０が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。
【０１５８】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１５９】
本発明の各態様に係る各サーバ（サーバ、他のサーバ、および提携サーバ）、表示装置、および携帯端末は、コンピュータによって実現してもよく、この場合には、コンピュータを上記各サーバ、表示装置、および携帯端末が備える各部（ソフトウェア要素）として動作させることにより上記各サーバ、表示装置、および携帯端末をコンピュータにて実現させる各サーバ、表示装置、および携帯端末の制御プログラム、およびそれを記録したコンピュータ読み取り可能な記録媒体も、本発明の範疇に入る。
【０１６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１６１】
１、１ａ  情報配信システム（システム）
１０      動画コンテンツ配信サーバ（第２のサーバ、他のサーバ）
１２      動画コンテンツ配信サーバ通信部（第２の通信部）
１４      動画コンテンツ配信サーバ制御部（第２の制御部）
２０      表示装置用サイトサーバ（サーバ、第１のサーバ）
２２      表示装置用サイトサーバ通信部（通信部、第１の通信部）
２４      表示装置用サイトサーバ制御部（制御部、第１の制御部）
２６      表示装置用サイトサーバ記憶部
３０      縮小アクセス情報サーバ（他のサーバ）
４０      携帯端末用サイトサーバ
５０      表示装置
５２      表示装置通信部（通信部）
５４      表示装置制御部（制御部）
５６      操作受付部
５８      表示装置表示部（表示部）
６０      携帯端末
７０      アフィリエイトサーバ（提携サーバ）
２４２    情報管理部
２４４    二次元バーコード生成部
２４６    出力要求受付部
２４８    表示装置用サイト情報生成部
２５０    表示装置用サイト情報出力部
５４２    操作信号取得部
５４４    出力要求部
５４６    表示制御部
５４８    表示情報取得部
【図１】
2017092780.tif 000003
【図２】
2017092780.tif 000004
【図３】
2017092780.tif 000005
【図４】
2017092780.tif 000006
【図５】
2017092780.tif 000007
【図６】
2017092780.tif 000008
【図７】
2017092780.tif 000009
【図８】
2017092780.tif 000010
【図９】
2017092780.tif 000011
【図１０】
2017092780.tif 000012
【図１１】
2017092780.tif 000013
【図１２】
2017092780.tif 000014